(57)【要約】【課題】  一枚のシートの周囲に剥離紙で覆われた粘着部と切取線を形成することにより、開封後に裏返して返信用封筒にすることができる往復封筒用シートにおいて、返信時に往信時より幅を広げて大きな物を入れられるようにする。【解決手段】  四角形の宛名部１０２と、その両横側に折り目を介して宛名部の半分強の幅を以て形成された２つの合わせ部１０３，１０４と、宛名部１０２の上下に折り目を介して宛名部より小さな長さ寸法で突出形成されたフラップ１０５，１０６とからなり、各合わせ部１０３，１０４の外周３辺およびフラップ１０５，１０６の先端の辺には剥離紙で覆われた粘着部を設け、各フラップ本体とフラップ先端の粘着部との間には切り取りテープ１１５，１１７を設け、合わせ部１０３の粘着部１０８と合わせ部本体との間に切り取りテープ１２０を設ける。さらに、宛名部１０２と二つの合わせ部１０３，１０４との間に２つ折りの２つの折り込み部１１８，１１９を設ける。【選択図】        図１３
2006282215.tif 000002
【特許請求の範囲】
【請求項１】
四角形の宛名部と、該宛名部の両横側に宛名部の半分強の幅を以て形成された２つの合わせ部と、前記宛名部の上下に折り目を介して宛名部より小さな長さ寸法で突出形成されたフラップとからなる往復封筒用シートに於いて、前記宛名部の両横側で各合わせ部との間に折り込み部を設け、往信時には封筒内部に折り込み、返信時には封筒外部に飛び出させること、および、前記各合わせ部の外周３辺およびフラップの先端の辺には剥離紙で覆われた粘着部を設け、各フラップ本体とフラップの粘着部との間には切り取りテープを設け、前記合わせ部のうち、一方の合わせ部の上側に貼り付けられる他方の合わせ部の粘着部と合わせ部本体との間に切り取りテープを設けたことを特徴とする往復封筒用シート。
【発明の詳細な説明】
【技術分野】
【０００１】
本発明は、差出人から受取人に届けられた封筒を切り開き、裏返して返信用封筒とすることができ、その際に刃物や接着剤を必要としないばかりでなく、返信時には往信時よりも大きな中身を入れて返信することができる復封筒用シートに関する。
【背景技術】
【０００２】
従来より、往信時のはがきや封筒を切り開いて裏返し、または一部を切り離して貼り合わせることにより返信用はがきや返信用封筒とする発明がなされている。
これらは、確実に相手から返事を貰うためや、返信用封筒を同封する手間を省き、往信時の重量を軽くし、紙や糊、はさみなどを節約、省略する為などの目的をもっていた。
【０００３】
たとえば特許文献１には、略Ｔ字型に切り抜いた紙の三方に剥離紙で覆われた粘着部を設けた往復封筒が開示されている。
【０００４】
しかしながら、この公知技術によると、一枚のシートをＴ字状に裁断して用いるため、用紙取りの無駄が多いこと、封筒となる用紙の上に中身を置き、周囲をたたんで包み込む構造であるため、袋状にならず、粒状物（例えばビス、ボルト、ナット、ハトメ、ラグ板など）を同封するのに不向きである点、一度接着に使用したフラップは再度接着し得ないという問題があった。
【０００５】
そして何より、封筒の大きさは往信時と返信時に同じか、少し小さくなるものが殆どであった。
【０００６】
【特許文献１】実開平０５−９５８５０号公報
【発明の開示】
【発明が解決しようとする課題】
【０００７】
本発明は上記従来技術の問題に鑑みなされたもので、袋状の封筒形状となり、裏返して使用することで往復使用できる往復封筒用シートであって、返信時には往信時よりも大きな中身を入れて返信することができる復封筒用シートを提供することを目的とする。
【課題を解決するための手段】
【０００８】
上記課題を解決するため、本発明の報復封筒用シートは、四角形の宛名部と、該宛名部の両横側に宛名部の半分強の幅を以て形成された２つの合わせ部と、前記宛名部の上下に折り目を介して宛名部より小さな長さ寸法で突出形成されたフラップとからなる往復封筒用シートに於いて、前記宛名部の両横側で各合わせ部との間に折り込み部を設け、往信時には封筒内部に折り込み、返信時には封筒外部に飛び出させること、および、前記各合わせ部の外周３辺およびフラップの先端の辺には剥離紙で覆われた粘着部を設け、各フラップ本体とフラップの粘着部との間には切り取りテープを設け、前記合わせ部のうち、一方の合わせ部の上側に貼り付けられる他方の合わせ部の粘着部と合わせ部本体との間に切り取りテープを設けたことを特徴とする。
【０００９】
上記構成によれば、往信時には各合わせ部を宛名部の前側で接着して封筒を形成して配達し、受取人が切り取りテープで各合わせ部を分離して一枚のシートに戻し、返信時には各合わせ部を宛名部の後ろ側で接着して封筒を形成する。また、各フラップは、往診時にはそれぞれの先端の粘着部により合わせ部に接着して封筒の上下を封止して、第一回めの開封時には切り取りテープにより粘着部が切り離されて開封される。そして、返信時には、各フラップは合わせ部の粘着部により封がなされる。
【００１０】
そして、前記宛名部の両横側で各合わせ部との間に設けた折り込み部を、往信時には封筒内部に折り込み、返信時には封筒外部に飛び出させることにより、返信時には封筒の大きさを大きくし、往信時よりも大きな中身を送り返すことができる。
【発明の効果】
【００１１】
本発明によれば、宛名部の表裏両面に予め往信時および返信時の宛先を記入または印刷しておくこと、郵便代金分の切手を貼付しておくことや支払い済み印や着払い印を押しておくことにより、確実に返事が貰えるようになる。また、返信用封筒を同封するよりも重量が軽くなり、郵便代金や配達料金を控えることができ、紙の節約にもなる。
【００１２】
特に、返信時には大きな中身を入れることができるので、横長や縦長な封筒であっても返信時には正方形や別方向に長い封筒にすることができる。これにより、例えば書籍やレコード、ＣＤ等の購入申込みや発送、返却等に用いることができる。
【発明を実施するための最良の形態】
【００１３】
以下、本発明の実施の形態を図示例と共に説明するが、説明を簡単にするため、まず、本発明の基礎となった発明につき図１ないし図１１を用いて説明する。即ち当該発明は、本願発明の要件のうち、２つの折り込み部を省略した発明である。
【００１４】
図１において、往復封筒用シート１は、宛名部２、合わせ部３，４、フラップ５，６から大略構成されている。
【００１５】
７，８，９は一方の合わせ部３の外周３辺に形成された粘着部、１０，１１，１２は他方の合わせ部４の外周３辺に形成された粘着部であり、各粘着部はそれぞれ剥離紙によって覆われている。
【００１６】
１３は合わせ部４本体と粘着部１１との間に形成された切り取りテープである。
【００１７】
往復封筒用シート１の使用方法は以下のとおりである。まず、差出人側では、図２に示すように、合わせ部３を矢示（１）の如く、紙面の手前側に折り返し、合わせ部４の粘着部１１より剥離紙１８を取り除いて矢示（２）の如く紙面の手前側に折り返して合わせ部３上に接着する。
【００１８】
図３において、フラップ５の粘着部１４より剥離紙１９を取り除き、矢示（３）のように折り返し、合わせ部３，４の上に接着する。ここで、通常の袋状の封筒の形状となる。中身（図示せず）を入れてフラップ６の粘着部１６から剥離紙２０を取り除き、矢示（４）の如く手前に折り返し、封をする。この状態で郵便ポストに投函したり、民間の配達業者に渡される。
【００１９】
そして、受け取り人側では、図６に示すように、フラップ５およびフラップ６の切り取りテープ１５，１７を引っ張り開封する。このとき、一方のみを先に開封して中身を取り出すことも可能である。
【００２０】
そして、図７矢示（５）のようにフラップ５，６を広げ、切り取りテープ１３を引っ張り、合わせ部３と４とを分離する。
次いで、図８、図９の矢示（６）、（７）のように合わせ部３，４を広げる。かくして、封筒は再び一枚のシート状の姿となる。
【００２１】
次に、返信用封筒を作成する手順を説明する。
図１０のように、合わせ部３の粘着部８から剥離紙２１を、粘着部７と９から剥離紙２２と２３を取り除き、合わせ部３を紙面の奥側に折り返す（矢示８）。次いで合わせ部４の粘着部１０と１２から剥離紙２４と２５を取り除き、合わせ部４を紙面の奥側に折り返し（矢示９）、合わせ部３の粘着部８上に接着する。
【００２２】
そして、図１１のように、フラップ５および６を紙面の奥側へ折り曲げて粘着部７，１０と９，１２により接着して、返信用封筒が完成する。中身は片方のフラップを接着後、あるいは前記合わせ部３と４を接着する前に封筒の中に入れておくことができる。
【００２３】
本願の基礎となる発明は以上の如きもので、一枚のシートとしたことにより、プリンタや複写機を用いて宛名を印刷することができる。そして、宛名部の表裏両面に予め往信時および返信時の宛先を記入または印刷しておくこと、郵便代金分の切手を貼付しておくことや支払い済み印や着払い印を押しておくことにより、確実に返事が貰えるようになる。また、返信用封筒を折りたたんで入れる必要がないので、返信時の封筒の中央部分に折り目がなく、比較的綺麗なまま使うことができる。さらに、返信用封筒を同封するよりも重量が軽くなり、郵便代金や配達料金を控えることができ、紙の節約になる等、種々の効果を奏する。
【００２４】
次に、図１２ないし図  を用いて本願発明の実施の形態を説明する。
なお、前述の先行技術と同一の構成要素に同一名称を付し、その説明を省略する。
図１２において、往復封筒用シート１０１は、前述の先行技術におけるのと同様の宛名部１０２、合わせ部１０３，１０４、フラップ１０５，１０６から大略構成されている。
【００２５】
１０７，１０８，１０９は一方の合わせ部１０３の外周３辺に形成された粘着部、１１０，１１１，１１２は他方の合わせ部１０４の外周３辺に形成された粘着部であり、各粘着部はそれぞれ剥離紙によって覆われている。
【００２６】
１１３は合わせ部１０３本体と粘着部１０８との間に形成された切り取りテープである。
【００２７】
往復封筒用シート１０１の使用方法は以下のとおりである。まず、差出人側では、図１３に示すように、合わせ部１０３を矢示の如く、紙面の手前側に折り返し、剥離紙１２０を取り除いて、合わせ部１０４上に接着する。
【００２８】
フラップ１０５の粘着部１１４より剥離紙を取り除き、矢示のように折り返し、合わせ部１０３，１０４の上に接着する。
而して、本実施の形態では、宛名部１０２と二つの合わせ部１０３，１０４との間に２つ折りの２つの折り込み部１１８，１１９を設けており、このとき、図１４，図１５に示すように、各折り込み部１１８，１１９を宛名部１０２と合わせ部１０３，１０４との間に挟み込むようにする。
【００２９】
以上のようにすることにより、往復封筒用シート１０１はほぼ通常の袋状の封筒の形状となる。中身（図１５中の１３０）を入れてフラップ１０５，１０６の粘着部１１４，１１６から剥離紙を取り除き、封をする。この状態で郵便ポストに投函したり、民間の配達業者に渡される。
【００３０】
そして、受け取り人側では、フラップ１０５およびフラップ１０６の切り取りテープ１１５，１１７を引っ張り開封する（不図示）。
【００３１】
そして、フラップ１０５，１０６を広げ、切り取りテープ１１３を引っ張り、合わせ部１０３と１０４とを分離する。
以上のようにして封筒は再び一枚のシート状の姿となる。
【００３２】
次に、返信用封筒を作成する手順を説明するが、図１６のように、合わせ部１０３、１０４を宛名部１０２およびフラップ１０５，１０６から飛び出させて封をする点を除き大略前述した先行発明と同様である。フラップ１０５，１０６でのり付けできない部分は、折り込み部１１８，１１９の半分が糊部分となっているのでこれを利用して貼り付ける。
【００３３】
以上のように、本実施の形態によると、先行発明の効果に加え、返信時には往信時よりも大きな中身を入れて送ることができる。
【００３４】
従って、通信販売の申込みと商品発送を同時に行うとか、貸し出し品とその返却を一つの封筒で行うなどの利用法が可能である。なお、本実施の形態によると、長方形の封筒を返信時には幅を広げて正方形に近い形とすることができるので、レコードやＣＤ、ビデオディスクなどを送るのに適していると考えられる。
【００３５】
次に図１７，図１８に変形例を示す。本態様は、折り込み部１０３、１０４を前記の携帯よりも拡大したものであってその基本的な作用効果においては前記の場合と同様である。
【図面の簡単な説明】
【００３６】
【図１】本発明の先行発明に係る往復封筒用シートの平面図である。
【図２】図１の往復封筒用シートを往信封筒とする手順の説明図である。
【図３】図２と同様の説明図である。
【図４】図２と同様の説明図である。
【図５】図２と同様の説明図である。
【図６】図１の往復封筒用シートを返信封筒とする手順の説明図である。
【図７】図６と同様の説明図である。
【図８】図６と同様の説明図である。
【図９】図６と同様の説明図である。
【図１０】図６と同様の説明図である。
【図１１】図６と同様の説明図である。
【図１２】図本発明の実施の形態に係る往復封筒用シートの平面図である。
【図１３】図１２の往復封筒用シートの折り畳み方法を示す説明図である。
【図１４】封筒の完成図を示す外観斜視図である。
【図１５】図１４中の矢示１５−１５方向の断面図である。
【図１６】返信時における拡大した封筒に糊付けする直前の様子を示す外観斜視図である。
【図１７】折り込み部を更に大きくした変形例を示す図１４と同様の外観斜視図である。
【図１８】図１７中の矢示１８−１８方向断面図である。
【符号の説明】
【００３７】
１０１…往復封筒用シート、１０２…宛名部、１０３、１０４…合わせ部、１０５，１０６…フラップ、１１３…切り取りテープ、１１８，１１９…折り込み部
【図１】
2006282215.tif 000003
【図２】
2006282215.tif 000004
【図３】
2006282215.tif 000005
【図４】
2006282215.tif 000006
【図５】
2006282215.tif 000007
【図６】
2006282215.tif 000008
【図７】
2006282215.tif 000009
【図８】
2006282215.tif 000010
【図９】
2006282215.tif 000011
【図１０】
2006282215.tif 000012
【図１１】
2006282215.tif 000013
【図１２】
2006282215.tif 000014
【図１３】
2006282215.tif 000015
【図１４】
2006282215.tif 000016
【図１５】
2006282215.tif 000017
【図１６】
2006282215.tif 000018
【図１７】
2006282215.tif 000019
【図１８】
2006282215.tif 000020